(57)【要約】【課題】  敷鉄板の上を通る歩行者や自転車が敷鉄板ジョイントにつまずき難い敷鉄板ジョイント用カバーを提供する。【解決手段】  敷鉄板ジョイント用カバー１は、全体形状が略リング状に形成され、中央部に形成された敷鉄板ジョイントの上蓋部であるカップを挿入可能な開口部１０と、周端部から開口部１０に近づくに従って隆起するようにテーパ状に形成された上面１１と、平面状に形成された下面１２と、下面１２から突出するように形成された一対の突出部１３，１４と、上面１１に形成された滑り防止のための二つの溝部１１ａ，１１ｂとを備えている。本実施形態の敷鉄板ジョイント用カバー１は、全体形状が略リング状に形成され、円周端部が薄く、開口部１０に近づくに従って除除に厚くなるように形成されている。【選択図】図１
2007247322.tif 000002
【特許請求の範囲】
【請求項１】
上蓋部と下基部とで挟むようにして、二枚の敷鉄板を所定の隙間を保ってつなぐための敷鉄板ジョイントの前記上蓋部に被せる敷鉄板ジョイント用カバーであって、
中央部に形成された、前記敷鉄板ジョイントの上蓋部を挿入するための開口部と、
周端部から前記開口部に近づくに従って隆起するように形成された上面と、
平面状に形成された下面と、
前記隙間に挿入できるように前記下面から突出して形成され、且つ一方の端部が前記開口部内に突き出るように形成された、前記端部が前記上蓋部と下基部の間に差し込まれる突出部と、
を備え、
弾力性を有する材料で、周端部が薄く、前記開口部に近づくに従って除除に厚くなるように形成されたことを特徴とする敷鉄板ジョイント用カバー。
【請求項２】
前記突出部は、直線上に対向するように、一対形成されていることを特徴とする請求項１記載の敷鉄板ジョイント用カバー。
【請求項３】
前記突出部の端部の厚さは、前記上蓋部と前記下基部の間隔のほぼ２分の１であることを特徴とする請求項１又は２記載の敷鉄板ジョイント用カバー。
【請求項４】
前記材料は樹脂又はゴムであることを特徴とする請求項１乃至３の何れか１項に記載の敷鉄板ジョイント用カバー。
【請求項５】
前記上面に滑り止めの凹凸を形成したことを特徴とする請求項１乃至４の何れか１項に記載の敷鉄板ジョイント用カバー。
【請求項６】
前記敷鉄板ジョイントの上蓋部の上部の周端部は凸アール状に形成され、前記開口部の上部の内壁周端部は、前記敷鉄板ジョイントの前記周端部に密着するように凹アール状に形成されていることを特徴とする請求項１乃至５の何れか１項に記載の敷鉄板ジョイント用カバー。
【請求項７】
前記開口部の高さは、前記上蓋部の高さと同じか、若干低いことを特徴とする請求項１乃至６の何れか１項に記載の敷鉄板ジョイント用カバー。
【発明の詳細な説明】
【技術分野】
【０００１】
本発明は、建設現場等で使用される敷鉄板をつなぐための敷鉄板ジョイントに用いる敷鉄板ジョイント用カバーに関するものである。
【背景技術】
【０００２】
本発明者は、既に、建設現場で使用される敷き鉄板のジョイント（以下、単に敷鉄板ジョイントとも称する。）について、特許を得ている。また、この敷鉄板ジョイントを実際に製造し、販売している。
【０００３】
【特許文献１】特開２０００−３５２１２４号公報
【発明の開示】
【発明が解決しようとする課題】
【０００４】
ところで、最近、上記の敷鉄板ジョイントについて、建設の工事現場の敷鉄板だけでなく、歩行者や自転車が通る一般の道路等に設置してある敷鉄板のつなぎにも使用したいという要望がある。しかしながら、上記の敷鉄板ジョイントは、設置すると、敷鉄板の上に凸状に突出する。したがって、この敷鉄板ジョイントを一般の道路等に使用すると、歩行者や自転車がこの敷鉄板ジョイントにつまずいて転んだりする恐れがある。したがって、建設現場用の敷鉄板ジョイントを一般の道路に使用するには、この敷鉄板ジョイントを用いてつないだ敷鉄板の上を通る歩行者や自転車が敷鉄板ジョイントにつまずかないように工夫する必要がある。
【０００５】
本発明は上記事情に基づいてなされたものであり、敷鉄板の上を通る歩行者や自転車が敷鉄板ジョイントにつまずき難い敷鉄板ジョイント用カバーを提供することを目的とするものである。
【課題を解決するための手段】
【０００６】
上記の目的を達成するための請求項１記載の発明に係る敷鉄板ジョイント用カバーは、上蓋部と下基部とで挟むようにして、二枚の敷鉄板を所定の隙間を保ってつなぐための敷鉄板ジョイントの前記上蓋部に被せる敷鉄板ジョイント用カバーであって、中央部に形成された、前記敷鉄板ジョイントの上蓋部を挿入するための開口部と、周端部から前記開口部に近づくに従って隆起するように形成された上面と、平面状に形成された下面と、前記隙間に挿入できるように前記下面から突出して形成され、且つ一方の端部が前記開口部内に突き出るように形成された、前記端部が前記上蓋部と下基部の間に差し込まれる突出部と、を備え、弾力性を有する材料で、周端部が薄く、前記開口部に近づくに従って除除に厚くなるように形成されたことを特徴とするものである。
【０００７】
請求項２記載の発明は、請求項１記載の敷鉄板ジョイント用カバーにおいて、前記突出部が、直線上に対向するように、一対形成されていることを特徴とするものである。
【０００８】
請求項３記載の発明は、請求項１又は２記載の敷鉄板ジョイント用カバーにおいて、前記突出部の端部の厚さが、前記上蓋部と前記下基部の間隔のほぼ２分の１であることを特徴とするものである。
【０００９】
請求項４記載の発明は、請求項１乃至３の何れか１項に記載の敷鉄板ジョイント用カバーにおいて、前記材料が樹脂又はゴムであることを特徴とするものである。
【００１０】
請求項５記載の発明は、請求項１乃至４の何れか１項に記載の敷鉄板ジョイント用カバーにおいて、前記上面に滑り止めの凹凸を形成したことを特徴とするものである。
【００１１】
請求項６記載の発明は、請求項１乃至５の何れか１項に記載の敷鉄板ジョイント用カバーにおいて、前記敷鉄板ジョイントの上蓋部の上部の周端部は凸アール状に形成され、前記開口部の上部の内壁周端部は、前記敷鉄板ジョイントの前記周端部に密着するように凹アール状に形成されていることを特徴とするものである。
【００１２】
請求項７記載の発明は、請求項１乃至５の何れか１項に記載の敷鉄板ジョイント用カバーにおいて、前記開口部の高さが、前記上蓋部の高さと同じか、若干低いことを特徴とするものである。
【発明の効果】
【００１３】
本発明の請求項１に係る敷鉄板ジョイント用カバーは、凹状に撓ませて、突出部の開口部内に突き出ている端部を敷鉄板の隙間から敷鉄板ジョイントの上蓋部の下面に差し込み、中央部に形成された開口部を敷鉄板ジョイントの上蓋部に被せることにより、敷鉄板ジョイントに取着する。本発明に係る敷鉄板ジョイント用カバーによれば、敷鉄板の上面に段差状に突出している敷鉄板ジョイントの上蓋部の周りに傾斜面を形成することができるので、敷鉄板の上を通る歩行者や自転車が敷鉄板ジョイントにつまずき難くなる。
【００１４】
本発明の請求項２に係る敷鉄板ジョイント用カバーは、一対の突出部により敷鉄板ジョイントと二箇所で係合されるので、強固に敷鉄板ジョイントに取着することができる。
【００１５】
本発明の請求項３に係る敷鉄板ジョイント用カバーは、突出部の端部の厚さが上蓋部と下基部の間隔のほぼ２分の１であるので、敷鉄板ジョイントに容易且つ強固に取着することができる。
【００１６】
本発明の請求項４に係る敷鉄板ジョイント用カバーは、樹脂又はゴムで形成されているので、本カバーを容易に撓ませて敷鉄板ジョイントに取着することができ、またスリップを少なくすることができる。
【００１７】
本発明の請求項５に係る敷鉄板ジョイント用カバーは、上面に滑り止めの凹凸を形成することにより、スリップを少なくすることができる。
【００１８】
本発明の請求項６に係る敷鉄板ジョイント用カバーは、開口部上部の内壁周端部が、敷鉄板ジョイントの凸アール状に形成された上蓋部の周端部に密着するように凹アール状に形成されているので、本敷鉄板ジョイント用カバーの上部と上蓋部の上部との間に生ずる溝を小さくすることができる。
【００１９】
本発明の請求項７に係る敷鉄板ジョイント用カバーは、開口部の高さを、上蓋部の高さと同じか、若干低く形成することにより、本敷鉄板ジョイント用カバーの上部と上蓋部の上部との段差を小さくすることができる。
【発明を実施するための最良の形態】
【００２０】
以下に、図面を参照して、本願に係る発明を実施するための最良の形態について説明する。図１は本発明の一実施形態である敷鉄板ジョイント用カバーの概略斜視図、図２（ａ）はその敷鉄板ジョイント用カバーの概略正面図、同図（ｂ）はその敷鉄板ジョイント用カバーの概略右側面図、同図（ｃ）はその敷鉄板ジョイント用カバーの概略底面図、図３はその敷鉄板ジョイント用カバーの概略裏面図、図４（ａ）は既存の敷鉄板ジョイントに本実施形態の敷鉄板ジョイント用カバーを取着した状態を示す概略平面図、同図（ｂ）は敷鉄板ジョイントに本実施形態の敷鉄板ジョイント用カバーを取着した状態のＡＡ矢視概略断面図、図５は本実施形態の敷鉄板ジョイント用カバーの取着方法を説明するための概略図である。
【００２１】
まず、本実施形態の敷鉄板ジョイント用カバー（以下、単にカバーとも称する。）を取着する敷鉄板ジョイントについて簡単に説明する。本実施形態で使用する敷鉄板ジョイントは、特許３４２２９５０号の敷鉄板ジョイントであり、二枚の敷鉄板を所定の隙間を保ってつなぐためのものである。この敷鉄板ジョイントは、二枚の敷鉄板の下面に配置される下基部であるベース１０１と、両敷鉄板の上面に配置される上蓋部であるカップ１０９とで両鉄板を挟むようにしてボルト１１９でとめることにより、両敷鉄板をつなぐことができる。なお、本実施形態では、敷鉄板ジョイントの各番号に、特許３４２２９５０号の明細書で使用されている番号と対応する番号を使用することにより、その詳細な説明は省略する。本カバーの番号との重複を避けるために、敷鉄板ジョイントの番号はすべて１００番代の数字としている。
【００２２】
図４に示すように、特許３４２２９５０号の敷鉄板ジョイントで二つの敷鉄板２１，２２をつなぐと、鉄板２１と鉄板２２との間に突起１０５，１０６の幅に対応する隙間２０ができる。  
【００２３】
本実施形態の敷鉄板ジョイント用カバー１は、図１乃至図５に示すように、全体形状が略リング状に形成され、中央部に形成された敷鉄板ジョイントのカップ１０９を挿入可能な開口部１０と、周端部から開口部１０に近づくに従って隆起するようにテーパ状に形成された上面１１と、平面状に形成された下面１２と、下面１２から突出するように形成された一対の突出部１３，１４と、上面１１に形成された滑り防止のための二つの溝部１１ａ，１１ｂとを備えている。本実施形態の敷鉄板ジョイント用カバー１は、図１乃至図５に示すように、全体形状が略リング状に形成され、円周端部が薄く、開口部１０に近づくに従って除除に厚くなるように形成されている。
【００２４】
また、本実施形態の敷鉄板ジョイント用カバー１は、例えば弾力性のあるゴム或いは樹脂等を用いて形成することができる。また、本実施形態の敷鉄板ジョイント用カバーの上を通る通行人や自転車がスリップしないように、摩擦係数の大きな材料を使用することが望ましい。本実施形態の敷鉄板ジョイント用カバーは、天然ゴム（ＮＲ）を用いて形成されている。なお、本実施形態の敷鉄板ジョイント用カバーは、天然ゴムだけでなく、工業用ゴムであるニトリルゴム（ＮＢＲ）で形成するようにしてもよい。
【００２５】
二つの突出部１３，１４は、敷鉄板ジョイントで二枚の敷鉄板をつなぐときにできる両敷鉄板の隙間２０に挿入できるように、一直線上に互いに対向するように、下面１２から突出して形成される。また、各々の突出部１３，１４の一方の端部１３ａ，１４ａは開口部１０内に突き出るように形成されている。突出部１３，１４の端部１３ａ，１４ａは、後述するように敷鉄板ジョイントのベース１０１とカップ１０９との間と挿入される。突出部１３，１４の幅は、二枚の敷鉄板の隙間２０に挿入できるように、この隙間２０とほぼ同じに形成されている。また、突出部１３，１４の厚さ（下面からの突出量）は、端部１３ａ，１４ａを敷鉄板ジョイントのベース１０１とカップ１０９と間に、容易に差し込むことができるように、敷鉄板ジョイントのベース１０１とカップ１０９との間隔、すなわち敷鉄板の厚さのほぼ２分の１に形成している。このように端部１３ａ，１４ａの厚さをベース１０１とカップ１０９との間隔のほぼ２分の１にすることにより、本カバーを敷鉄板ジョイントに容易且つ強固に取着することができる。端部の厚さが厚過ぎると、差込みが容易でなくなり、薄過ぎると、取着した本カバーが外れやすくなる。
【００２６】
特許３４２２９５０号の敷鉄板ジョイントのカップ上部の周端部は、図４（ｂ）にも示すように凸アール状に形成されている。本実施形態の敷鉄板ジョイント用カバーは、この凸アール状に形成されたカップ上部の周端部１０９ａに密着するように、開口部１０上部の内壁周端部１０ａは凹アール状に形成されている。
【００２７】
次に、本実施形態の敷鉄板ジョイント用カバーの取着方法について説明する。本実施形態の敷鉄板ジョイント用カバーを特許３４２２９５０号の敷鉄板ジョイントに取着するときには、本実施形態の敷鉄板ジョイント用カバーを図５に示すように、凹状に撓ませて、一方の突出部１３を上述した敷鉄板２１と敷鉄板２２の間の隙間２０に差込み、突出部１３の開口部１０に突出している端部１３ａをカップ１０９の下面に差込む。続いて、開口部１０をカップ１０９にはめ込む。次に、他方の突出部１４を上述した敷鉄板２１と敷鉄板２２の間の隙間２０に差込み、突出部１４の開口部１０に突出している端部１４ａをカップ１０９の下面に差込む。以上の簡単な手順で、本実施形態の敷鉄板ジョイント用カバー１を特許３４２２９５０号の敷鉄板ジョイントに取着することができる。
【００２８】
本実施形態の敷鉄板ジョイント用カバーを取り外すときには、一方の突出部が形成された本カバーの端部を上方に撓ませるようにして、ベース１０１とカップ１０９の間から一方の突出部１４の端部１４ａを引き抜いた後、本カバーを他方の突出部１３の側に移動することにより、簡単に外すことができる。
【００２９】
本実施形態の敷鉄板ジョイント用カバーによれば、敷鉄板の敷鉄板ジョイントに本実施形態の敷鉄板ジョイント用カバーを取着することにより、敷鉄板ジョイントのカップの周りの段差を無くして、カップの周りを傾斜面とすることができる。したがって、本実施形態のカバーを用いた敷鉄板の上を通る通行人や自転車は敷鉄板ジョイントにつまずき難くなる。したがって、本実施形態の敷鉄板ジョイント用カバーを用いることにより、建設現場用の敷鉄板ジョイントを、通行人や自転車が通る一般の道路の敷鉄板ジョイントとして使用することが可能となる。
【００３０】
また、本実施形態の敷鉄板ジョイント用カバーによれば、二つの突出部の端部をカップに係止させているので、敷鉄板ジョイントに確実に取着することができ、本カバーを単に引っ張っただけでは、外れない。一方、取り外すときには、一方の突出部が形成された本カバーの端部を上方に撓ませることにより、容易に外すことができる。
【００３１】
また、本実施形態の敷鉄板ジョイント用カバーは、ゴムで作られているので、本カバーの上を通る通行人や自転車のスリップを少なくすることができる。さらに、上面１１に二つのリング状の溝部１１ａ，１１ａを形成したことにより、よりスリップし難くなる。
【００３２】
また、本実施形態の敷鉄板ジョイント用カバーによれば、開口部１０上部の内壁周端部１０ａは、凸アール状に形成されたカップ１０９上部の周端部１０９ａに密着するように、凹アール状に形成されているので、カップ上部と本カバー上部との間の溝を小さくすることができる。
【００３３】
また、本実施形態の敷鉄板ジョイント用カバーによれば、敷鉄板ジョイントの上蓋部全体を覆うのではなく、上蓋部の上部を開口部から外部に露出するように形成したことにより、何らかの理由により、本カバーを使用している敷鉄板ジョイントのカップとベースを止めているボルト１１９の増し締めを行う必要が生じたときに、本カバーを取り外すことなく、容易且つ迅速にボルト１１９の増し締めを行うことができる。
【００３４】
尚、本発明は上記の実施形態に限定されるものではなく、その要旨の範囲内において種々の変形が可能である。例えば、上記の実施形態では、本カバーの全体形状が略円形のリング状に形成されている場合について説明したが、本カバーの全体形状は、円形状でなく、例えば五角形や六角形等の多角形状に形成してもよいし、或いは楕円形状や星型状に形成してもよい。
【００３５】
また、上記の実施形態では、本カバーをゴムにより形成する場合について説明したが、本カバーは弾力性があるものであれば、どのような材料を用いてもよい。
【００３６】
また、上記の実施形態では、突出部を二箇所に形成する場合について説明したが、突出部は一箇所であってもよい。さらに、突出部の端部の厚さは、カップとベースの間隔のほぼ２分の１である場合について説明したが、この厚さは、敷鉄板ジョイントのカップとベースの間に差し込むことができ、且つ本カバーを敷鉄板ジョイントに取着することができれば、どのような厚さであってもよい。
【００３７】
また、上記の実施形態では、上面に形成された滑り止めの凹凸が二本の溝部である場合について説明したが、本カバーの滑り止めの凹凸は、上面全体に或いは所々に小さな凸部或いは凹部を形成したものであってもよい。
【００３８】
また、上記の実施形態では、開口部１０上部の内壁周端部１０ａが、敷鉄板ジョイントの凸アール状に形成されたカップ上部の周端部１０９ａに密着するように、凹アール状に形成する場合について説明したが、開口部１０上部の内壁周端部１０ａは、凹アール状でなく、開口部を形成する他の部分と同じに形成してもよい。また、本実施形態では、内壁周端部１０ａをカップ１０９より低くなるように形成しているが、内壁周端部１０ａは上蓋部１０９と同じか、或いは若干高くなるように形成してもよい。
【００３９】
さらに、上記の実施形態では、敷鉄板ジョイントが特許３４２２９５０号の敷鉄板ジョイントである場合について説明したが、本発明はこれに限定されるものではなく、敷鉄板ジョイントは、上蓋部と下基部とで挟むようにして、二枚の敷鉄板を所定の隙間を保ってつなぐものであれば、どのようなものであってもよい。
【産業上の利用可能性】
【００４０】
以上説明したように、本発明に係る遊技機によれば、敷鉄板の上面に段差状に突出している敷鉄板ジョイントの上蓋部の周りに傾斜面を形成することができるので、敷鉄板の上を通る歩行者や自転車が敷鉄板ジョイントにつまずき難くなる。したがって、本発明は、建設現場や一般の道路等の敷鉄板をつなぐための敷鉄板ジョイントのカバーに適用することができる。
【図面の簡単な説明】
【００４１】
【図１】図１は本発明の一実施形態である敷鉄板ジョイント用カバーの概略斜視図である。
【図２】図２（ａ）は本発明の一実施形態である敷鉄板ジョイント用カバーの概略正面図、同図（ｂ）はその敷鉄板ジョイント用カバーの概略右側面図、同図（ｃ）はその敷鉄板ジョイント用カバーの概略底面図である。
【図３】図３は本発明の一実施形態である敷鉄板ジョイント用カバーの概略裏面図である。
【図４】図４（ａ）は既存の敷鉄板ジョイントに本実施形態の敷鉄板ジョイント用カバーを取着した状態を示す概略平面図、同図（ｂ）は敷鉄板ジョイントに本実施形態の敷鉄板ジョイント用カバーを取着した状態のＡＡ矢視概略断面図である。
【図５】図５は本実施形態の敷鉄板ジョイント用カバーの取着方法を説明するための概略図である。
【符号の説明】
【００４２】
１  敷鉄板ジョイント用カバー
１０  開口部
１０ａ  内壁周端部
１１  上面
１１ａ，１１ｂ  溝部
１２  下面
１３，１４  突出部
１３ａ，１４ａ  突出部の端部
２０  隙間
１０１  ベース
１０９  カップ
１０９ａ  カップ上部の周端部
１０５，１０６  突起
【図１】
2007247322.tif 000003
【図２】
2007247322.tif 000004
【図３】
2007247322.tif 000005
【図４】
2007247322.tif 000006
【図５】
2007247322.tif 000007